(57)【特許請求の範囲】
【請求項１】
入力された信号をパルス幅変調された信号として解釈し、解釈した結果にしたがって動作する第一の照明装置と、
入力された信号をオンオフ変調された信号として解釈し、解釈した結果にしたがって動作する第二の照明装置と、
パルス幅変調信号を生成するパルス幅変調信号生成部と、オンオフ変調信号を生成するオンオフ変調信号生成部と、上記パルス幅変調信号生成部が生成したパルス幅変調信号の一部に上記オンオフ変調信号生成部が生成したオンオフ変調信号を組み込んだ信号を、上記第一の照明装置及び上記第二の照明装置を制御する照明制御信号として出力する信号出力部とを有する照明制御装置と
を備えることを特徴とする照明システム。
【請求項２】
上記オンオフ変調信号生成部がオンオフ変調信号を生成する期間の持続時間は、上記パルス幅変調信号生成部が生成するパルス幅変調信号の周期の１００分の１以下であることを特徴とする請求項１に記載の照明システム。
【請求項３】
上記オンオフ変調信号生成部は、フレームの開始を表わす開始パターン信号に、上記第二の照明装置に対して通知するデータ本体を含むデータによりオンオフ変調したデータ信号を続けた信号を上記オンオフ変調信号として生成し、
上記信号出力部は、上記パルス幅変調信号のオフ期間の終わりに上記オンオフ変調信号を組み込んだ信号を上記照明制御信号として出力し、
上記第二の照明装置は、入力された信号に含まれる上記パルス幅変調信号のオン期間の始まりを、上記フレームの終了を表わす終了パターン信号として解釈することを特徴とする請求項１または２に記載の照明システム。
【請求項４】
上記オンオフ変調信号生成部は、フレームの開始を表わす開始パターン信号に、上記第二の照明装置を指定するアドレスデータによりオンオフ変調したアドレス信号、上記第二の照明装置に対して通知するデータ本体によりオンオフ変調したデータ本体信号、上記開始パターン信号、上記アドレスデータとは異なるデータによりオンオフ変調したデータ信号を順番に続けた信号を上記オンオフ変調信号として生成し、
上記第二の照明装置は、上記開始パターン信号が入力される度に、上記開始パターン信号に続けて入力された信号が上記アドレス信号であるかどうか判定し、上記アドレス信号であれば、上記アドレス信号に続けて入力される信号を上記データ本体信号として解釈し、上記アドレス信号でなければ、その後に続けて入力される信号を、次に上記開始パターン信号が入力されるまで無視することを特徴とする請求項１または２に記載の照明システム。
【請求項５】
上記パルス幅変調信号生成部は、上記パルス幅変調信号の一つ前の周期における上記照明制御信号の電圧が上記パルス幅変調信号のオン期間と同じ電圧になった時間の合計、または、上記パルス幅変調信号のオン期間と同じ電圧になった時間の合計を算出し、算出した時間の合計に応じて、上記パルス幅変調信号の新たな周期における上記パルス幅変調信号のオン期間の持続時間を補正することを特徴とする請求項１から４のいずれかに記載の照明システム。
【発明の詳細な説明】
【技術分野】
【０００１】
この発明は、複数の信号入力装置に対する共通の信号を生成する信号生成装置に関する。
【背景技術】
【０００２】
調光度を指示する調光信号を入力して、調光度が変えられる照明装置がある。調光信号としては、例えば、調光度によってパルス幅変調されたパルス幅変調信号が用いられる。
また、調光度だけでなく、例えば相関色温度などが変えられる照明装置がある。このような照明装置には、調光度によってパルス幅変調された調光信号と相関色温度によってパルス幅変調された相関色温度信号とを入力するもの、調光度や相関色温度をデジタルデータで表わすデジタル信号を入力するものなどがある。デジタル信号を入力する照明装置には、調光度や相関色温度を変える指示だけでなく、更に複雑な指示を受け付けることができるものもある。
【先行技術文献】
【特許文献】
【０００３】
【特許文献１】特公平３−３５７９３号公報
【発明の概要】
【発明が解決しようとする課題】
【０００４】
多数の照明装置を有する照明システムにおいて、照明制御装置を設け、照明制御装置が生成した調光信号などの制御信号を照明装置が入力することにより、照明装置を制御する場合がある。多数の照明装置を複数のグループに分けて、グループごとに異なる制御をしたい場合、パルス幅変調された制御信号を入力する照明装置は、グループ内で制御信号の信号線を共通化することはできるが、異なるグループで制御信号の信号線を共通化することはできないので、少なくともグループの数と同じ数の信号線が必要になる。これに対し、デジタル信号を入力する照明装置は、グループごとにアドレスを割り当てることにより、異なるグループで制御信号の信号線を共通化できる。
それまで１つのグループとして運用されていた複数の照明装置を、複数のグループに分ける必要が生じた場合、その照明装置がパルス幅変調された制御信号を入力する照明装置であれば、信号線の配線を変える必要があり、また、後からグループ分けを変更することは難しい。
そこで、照明装置を、デジタル信号を入力する照明装置にリニューアルすることが考えられる。そうすれば、信号線の配線を変える必要はなく、また、後からグループ分けを変更することも容易になる。
【０００５】
大規模な照明システムでは、すべての照明装置を一斉にリニューアルすることは、コストがかかり、難しい場合がある。そのため、一部の照明装置だけをリニューアルしたいという要望がある。
しかし、照明装置を、パルス幅変調信号を入力する照明装置から、デジタル信号を入力する照明装置に変更する場合、それに合わせて、照明制御装置も、パルス幅変調信号を出力する照明制御装置から、デジタル信号を出力する照明制御装置に変更する必要がある。また、パルス幅変調信号を入力する照明装置と、デジタル信号を入力する照明装置とで信号線を分ける必要がある。このため、一部の照明装置だけをリニューアルして、パルス幅変調信号を入力する照明装置と、デジタル信号を入力する照明装置とを混在させることは困難である。
【０００６】
この発明は、例えば上記のような課題を解決するためになされたものであり、照明制御装置などの信号生成装置が、異なる種類の信号を入力する照明装置などの信号入力装置に対して共通の信号線を使って伝送できる共通の信号を生成することを目的とする。
【課題を解決するための手段】
【０００７】
この発明にかかる信号生成装置は、入力した信号をパルス幅変調された信号として解釈するパルス幅変調信号入力装置に対するパルス幅変調信号を生成するパルス幅変調信号生成部と、入力した信号をオンオフ変調された信号として解釈するオンオフ変調信号入力装置に対するオンオフ変調信号を生成するオンオフ変調信号生成部と、上記パルス幅変調信号生成部が生成したパルス幅変調信号の一部に上記オンオフ変調信号生成部が生成したオンオフ変調信号を組み込んだ信号を出力する信号出力部とを有する。
【発明の効果】
【０００８】
この発明にかかる信号生成装置によれば、パルス幅変調信号入力装置と、オンオフ変調信号入力装置とに対して共通の信号線を使って伝送できる共通の信号を生成することができる。
【図面の簡単な説明】
【０００９】
【図１】実施の形態１における照明システム８００の全体構成を示すシステム構成図。
【図２】実施の形態１における照明器具８２０のブロック構成を示すブロック図。
【図３】実施の形態１における信号入力回路８２３の構成を示す回路図。
【図４】実施の形態１における照明器具８３０の構成を示すブロック図。
【図５】実施の形態１における信号入力回路８３３の構成を示す回路図。
【図６】実施の形態１におけるデジタル信号のフレーム５１０の構造を示す図。
【図７】実施の形態１における調光制御コントローラ８１０の構成を示すブロック図。
【図８】実施の形態１における信号出力部１３０が出力する制御信号の構造を示す図。
【図９】実施の形態２におけるデジタル信号のフレーム５１０の構造を示す図。
【図１０】実施の形態４におけるデジタル信号のフレーム５１０の構造を示す図。
【図１１】実施の形態４における調光制御コントローラ８１０の構成を示すブロック図。
【図１２】実施の形態５における信号出力部１３０が出力する制御信号の構造を示す図。
【発明を実施するための形態】
【００１０】
実施の形態１．
実施の形態１について、図１〜図８を用いて説明する。
【００１１】
図１は、この実施の形態における照明システム８００の全体構成を示すシステム構成図である。
【００１２】
照明システム８００（照明制御システム、通信システム）は、調光制御コントローラ８１０と、複数の照明器具８２０，８３０とを有する。調光制御コントローラ８１０（照明制御装置）は、複数の照明器具８２０，８３０を制御する制御信号（点灯制御信号）を生成し、出力する。調光制御コントローラ８１０が出力する制御信号は、例えば、照明器具８２０，８３０の点灯消灯、調光度、相関色温度などを指示する。それぞれの照明器具８２０，８３０（照明装置）は、調光制御コントローラ８１０が出力した制御信号を入力し、入力した制御信号にしたがって、動作する。
複数の照明器具８２０，８３０のうち、照明器具８２０は、パルス幅変調（ＰＷＭ）された調光信号（パルス幅変調信号）を制御信号として入力する。照明器具８２０は、入力した調光信号にしたがって、点灯消灯し、調光する。照明器具８２０が入力するＰＷＭ信号は、例えば、周波数が１００Ｈｚ〜１ｋＨｚの信号である。
これに対し、照明器具８３０は、オンオフ変調されたデジタル信号（オンオフ変調信号）を制御信号として入力する。なお、照明器具８３０が入力するデジタル信号は、基底帯域伝送されるものであってもよいし、搬送帯域伝送されるものであってもよい。照明器具８３０は、入力したデジタル信号にしたがって、点灯消灯し、調光し、相関色温度を調整する。照明器具８３０が入力するデジタル信号は、例えば、毎秒１００キロビット〜毎秒１０メガビットのシリアル信号である。
このように、複数の照明器具８２０，８３０には、入力する制御信号の変調方式が異なるものが混在している。しかし、調光制御コントローラ８１０と、複数の照明器具８２０，８３０とを接続する信号線（通信線）は一対であり、調光制御コントローラ８１０は、すべての照明器具８２０，８３０に共通の制御信号を出力する。調光制御コントローラ８１０が出力した一つの制御信号を、照明器具８２０は、ＰＷＭ信号（パルス幅変更方式）として解釈し、照明器具８３０は、デジタル信号（デジタル方式）として解釈する。
【００１３】
図２は、この実施の形態における照明器具８２０のブロック構成を示すブロック図である。
【００１４】
照明器具８２０は、例えば、光源回路８２１と、点灯装置８２２とを有する。
光源回路８２１は、ＬＥＤなどの光源を有し、あるいは、放電灯（蛍光ランプ）などの着脱自在な光源を接続する。光源回路８２１は、点灯装置８２２から供給される電力を光源に供給して、光源を点灯させる。
点灯装置８２２（照明点灯装置）は、調光制御コントローラ８１０からの指示などにしたがって、光源回路８２１に対して電力を供給することにより、光源を点灯消灯し、調光する。点灯装置８２２は、例えば、信号入力回路８２３と、制御回路８２４と、電源回路８２５とを有する。
信号入力回路８２３（パルス幅変調信号入力装置）は、調光制御コントローラ８１０からの制御信号を入力して、制御回路８２４に対する信号に変換する。信号入力回路８２３は、入力した制御信号をＰＷＭ信号として解釈する。例えば、信号入力回路８２３は、入力した制御信号のオンデューティを測定して、測定したオンデューティを表わす信号（点灯状態信号）を出力する。
制御回路８２４は、信号入力回路８２３が出力した信号を入力し、入力した信号にしたがって、電源回路８２５の動作を制御する。制御回路８２４は、例えばマイコンである。
電源回路８２５は、商用電源などの電源ＡＣから供給される電力を入力し、入力した電力を光源回路８２１に対して供給する電力に変換する。電源回路８２５は、制御回路８２４からの信号を入力し、入力した信号にしたがって動作する。電源回路８２５は、例えば、整流回路と、昇圧型コンバータ回路と、インバータ回路とを有し、光源回路８２１に対して交流電力を供給する。整流回路は、電源ＡＣからの交流電力を全波整流する。昇圧型コンバータ回路は、整流回路が全波整流した脈流電力を平滑するとともに昇圧する。インバータ回路は、昇圧型コンバータ回路が昇圧した高い電圧を有する直流電力を、高周波の交流電力に変換する。
例えば、調光制御コントローラ８１０からの制御信号が、光源の消灯を指示する場合、制御回路８２４は、電源回路８２５の動作を停止させる。これにより、光源回路８２１に電力が供給されないので、光源が消灯する。また、調光制御コントローラ８１０からの制御信号が、光源の点灯を指示する場合、制御回路８２４は、制御信号により指示された調光度にしたがって、電源回路８２５が光源回路８２１に対して供給する電力を調整する。光源回路８２１に供給される電力が大きければ光源が明るく点灯し、光源回路８２１に供給される電力が小さければ光源が暗く点灯する。制御回路８２４は、例えば、光源回路８２１の周波数特性に基づいて、電源回路８２５が生成する交流電力の周波数（動作周波数）を変えることにより、光源回路８２１に供給される電力を変化させる。
【００１５】
図３は、この実施の形態における信号入力回路８２３の構成を示す回路図である。
【００１６】
信号入力回路８２３は、例えば、絶縁伝達回路８２７と、オンデューティ測定回路８２８とを有する。信号入力回路８２３は、例えば、制御電源回路８２６から供給される直流電力を電源として動作する。制御電源回路８２６は、例えば電源ＡＣなどから供給される電力を、所定の制御電源電圧を有する直流電力に変換する。
絶縁伝達回路８２７は、調光制御コントローラ８１０から入力した信号を、電気的に絶縁しつつ、オンデューティ測定回路８２８に伝達する。絶縁伝達回路８２７は、例えば、抵抗Ｒ７１，Ｒ７３，Ｒ７５と、フォトカプラＰ７２と、スイッチング素子Ｑ７４とを有する。抵抗Ｒ７１と、フォトカプラＰ７２の一次側である発光ダイオードとは、互いに直列に電気接続し、調光制御コントローラ８１０の出力に電気接続している。抵抗Ｒ７１は、フォトカプラＰ７２の発光ダイオードを流れる電流を制限する。フォトカプラＰ７２は、調光制御コントローラ８１０と、オンデューティ測定回路８２８とを電気的に絶縁する。抵抗Ｒ７３と、フォトカプラＰ７２の二次側であるフォトトランジスタとは、互いに直列に電気接続し、制御電源回路８２６の出力に電気接続している。抵抗Ｒ７５と、スイッチング素子Ｑ７４とは、互いに直列に電気接続し、抵抗Ｒ７３とフォトカプラＰ７２のフォトトランジスタとの直列回路と並列に、制御電源回路８２６の出力に電気接続している。スイッチング素子Ｑ７４は、例えばＮＰＮ型バイポーラトランジスタである。スイッチング素子Ｑ７４のオンオフを制御する信号を入力する端子（例えばバイポーラトランジスタのベース端子）は、抵抗Ｒ７３とフォトカプラＰ７２のフォトトランジスタとの接続点に電気接続している。絶縁伝達回路８２７は、抵抗Ｒ７５とスイッチング素子Ｑ７４との接続点の電位を出力する。
調光制御コントローラ８１０から入力する制御信号の電圧値が所定の閾値より高い場合、抵抗Ｒ７１を介して、フォトカプラＰ７２の発光ダイオードに電流が流れる。フォトカプラＰ７２の発光ダイオードが発光すると、フォトカプラＰ７２のフォトトランジスタがオンになる。このため、抵抗Ｒ７３とフォトカプラＰ７２のフォトトランジスタとの接続点の電位が低くなるので、スイッチング素子Ｑ７４がオフになる。したがって、抵抗Ｒ７５とスイッチング素子Ｑ７４との接続点の電位は高くなる。
逆に、調光制御コントローラ８１０から入力する制御信号の電圧値が所定の閾値より低い場合、抵抗Ｒ７１を電流が流れない。フォトカプラＰ７２の発光ダイオードが発光しないので、フォトカプラＰ７２のフォトトランジスタがオフになる。このため、抵抗Ｒ７３とフォトカプラＰ７２のフォトトランジスタとの接続点の電位が高くなり、スイッチング素子Ｑ７４がオンになる。したがって、抵抗Ｒ７５とスイッチング素子Ｑ７４との接続点の電位は低くなる。
このように、絶縁伝達回路８２７は、フォトカプラＰ７２により調光制御コントローラ８１０とオンデューティ測定回路８２８とを電気的に絶縁しつつ、調光制御コントローラ８１０からの信号と同位相の信号をオンデューティ測定回路８２８に伝達する。
【００１７】
オンデューティ測定回路８２８は、絶縁伝達回路８２７が伝達した信号のオンデューティを測定する。オンデューティ測定回路８２８は、例えば、スイッチング素子Ｑ８１，Ｑ８２と、抵抗Ｒ８３，Ｒ８４，Ｒ８５と、コンデンサＣ８６とを有する。スイッチング素子Ｑ８１と、抵抗Ｒ８３と、抵抗Ｒ８４と、スイッチング素子Ｑ８２とは、互いに直列に電気接続し、制御電源回路８２６の出力に接続している。スイッチング素子Ｑ８１は、例えば、エンハンスメント型ＰＭＯＳＦＥＴである。スイッチング素子Ｑ８２は、例えば、エンハンスメント型ＮＭＯＳＦＥＴである。スイッチング素子Ｑ８１のオンオフを制御する信号を入力する端子（例えばＦＥＴのゲート端子）と、スイッチング素子Ｑ８２のオンオフを制御する信号を入力する端子（例えばＦＥＴのゲート端子）とは、絶縁伝達回路８２７の抵抗Ｒ７５とスイッチング素子Ｑ７４との接続点に電気接続し、絶縁伝達回路８２７が出力した信号を入力する。２つのスイッチング素子Ｑ８１，Ｑ８２は、交互に動作（オン／オフ）する。すなわち、スイッチング素子Ｑ８１がオンのときはスイッチング素子Ｑ８２がオフになり、スイッチング素子Ｑ８２がオンのときはスイッチング素子Ｑ８１がオフになる。抵抗Ｒ８５と、コンデンサＣ８６とは、互いに直列に電気接続し、抵抗Ｒ８４とスイッチング素子Ｑ８２との直列回路に並列に電気接続している。オンデューティ測定回路８２８は、抵抗Ｒ８５とコンデンサＣ８６との接続点の電位（すなわち、コンデンサＣ８６の両端電圧）を出力する。
絶縁伝達回路８２７が出力した信号の電位が所定の閾値より高い場合、スイッチング素子Ｑ８１がオフになり、スイッチング素子Ｑ８２がオンになる。抵抗Ｒ８４，Ｒ８５を介して、コンデンサＣ８６が放電する。
絶縁伝達回路８２７が出力した信号の電位が所定の閾値より低い場合、スイッチング素子Ｑ８１がオンになり、スイッチング素子Ｑ８２がオフになる。抵抗Ｒ８３，Ｒ８５を介して、コンデンサＣ８６が充電される。
コンデンサＣ８６を充放電する電流に比べてコンデンサＣ８６の静電容量が十分大きければ、コンデンサＣ８６の両端電圧は、充電時間と放電時間との比によって定まる。絶縁伝達回路８２７からの信号のオンデューティが大きければ、放電時間が長くなるので、コンデンサＣ８６の両端電圧は低くなる。絶縁伝達回路８２７からの信号のオンデューティが小さければ、充電時間が長くなるので、コンデンサＣ８６の両端電圧は高くなる。すなわち、オンデューティ測定回路８２８は、入力した信号のオンデューティを測定し、測定したオンデューティを表わす電圧を出力する。
【００１８】
制御回路８２４は、例えば、信号入力回路８２３が出力した信号の電位が高いほど、電源回路８２５が光源回路８２１に対して供給する電力が大きくなるよう、電源回路８２５を制御する。これにより、信号入力回路８２３が入力した調光制御コントローラ８１０からの信号のオンデューティが小さいほど、光源回路８２１の光源が明るく点灯する。逆に、信号入力回路８２３が入力した調光制御コントローラ８１０からの信号のオンデューティが大きいほど、光源回路８２１の光源が暗く点灯する。
【００１９】
図４は、この実施の形態における照明器具８３０の構成を示すブロック図である。
【００２０】
照明器具８３０は、例えば、２つの光源回路８３１ａ，８３１ｂと、点灯装置８３２とを有する。
光源回路８３１ａ，８３１ｂは、ＬＥＤなどの光源を有し、あるいは、光源を接続する。光源回路８３１ａ，８３１ｂは、点灯装置８３２から供給される電力を光源に供給して、光源を点灯させる。光源回路８３１ａの光源と、光源回路８３１ｂの光源とは、放射する光の相関色温度が異なる。照明器具８３０は、光源回路８３１ａの光源が放射した光（例えば昼白色）と、光源回路８３１ｂの光源が放射した光（例えば電球色）とを混合した光を放射する。照明器具８３０は、光源回路８３１ａの光源が放射する光の強さと、光源回路８３１ｂの光源が放射する光の強さとを、それぞれ独立して変化させることにより、照明器具８３０が放射する光の調光度及び相関色温度を変化させることができる。
点灯装置８３２（照明点灯装置）は、調光制御コントローラ８１０からの指示などにしたがって、２つの光源回路８３１ａ，８３１ｂに対して電力を供給することにより、光源を点灯消灯し、調光し、相関色温度を調整する。点灯装置８３２は、例えば、信号入力回路８３３と、制御回路８３４と、電源回路８３５とを有する。
信号入力回路８３３（オンオフ変調信号入力装置）は、調光制御コントローラ８１０からの制御信号を入力して、制御回路８３４に対する信号に変換する。信号入力回路８３３は、入力した信号をデジタル信号として解釈する。例えば、信号入力回路８３３は、入力した制御信号をシリアル信号として解釈して、解釈したデータを記憶する。信号入力回路８３３は、記憶したデータを表わす信号（点灯状態信号）を出力する。
制御回路８３４は、信号入力回路８３３が出力した信号を入力し、入力した信号にしたがって、電源回路８３５の動作を制御する。制御回路８３４は、例えばマイコンである。
電源回路８３５は、商用電源などの電源ＡＣから供給される電力を入力し、入力した電力を光源回路８３１ａに対して供給する電力と、光源回路８３１ｂに対して供給する電力とに変換する。電源回路８３５は、制御回路８２４からの信号を入力し、入力した信号にしたがって動作する。電源回路８３５は、例えば、整流回路と、昇圧型コンバータ回路と、２つの降圧型コンバータ回路とを有し、光源回路８３１ａ，８３１ｂに対して直流電力を供給する。整流回路は、電源ＡＣからの交流電力を全波整流する。昇圧型コンバータ回路は、整流回路が全波整流した脈流電力を平滑するとともに昇圧する。降圧型コンバータ回路は、昇圧型コンバータ回路が昇圧した高い電圧を有する直流電力を降圧して、低い電圧を有する直流電力に変換する。２つの降圧型コンバータ回路のうちの１つは、光源回路８３１ａに対して直流電力を供給し、他の１つは、光源回路８３１ｂに対して直流電力を供給する。なお、電源回路８３５は、光源回路８３１ａに対して電力を供給する電源回路と、光源回路８３１ｂに対して電力を供給する電源回路とに分かれた構成であってもよい。
例えば、調光制御コントローラ８１０からの制御信号が、光源の消灯を指示する場合、制御回路８３４は、電源回路８３５の動作を停止させる。これにより、光源回路８３１ａ，８３１ｂに電力が供給されないので、光源が消灯する。また、調光制御コントローラ８１０からの制御信号が、光源の点灯を指示する場合、制御回路８３４は、制御信号により指示された調光度及び相関色温度にしたがって、電源回路８３５が光源回路８３１ａ，８３１ｂに対して供給する電力を調整する。光源回路８３１ａに供給される電力が大きく、光源回路８３１ｂに供給される電力が小さければ、光源回路８３１ａの光源が明るく点灯し、光源回路８３１ｂの光源が暗く点灯するので、照明器具８３０が放射する光の相関色温度は、光源回路８３１ａの光源の相関色温度に近くなる。逆に、光源回路８３１に供給される電力が小さく、光源回路８３１ｂに供給される電力が大きければ、光源回路８３１ａの光源が暗く点灯し、光源回路８３１ｂの光源が明るく点灯するので、照明器具８３０が放射する光の相関色温度は、光源回路８３１ｂの光源の相関色温度に近くなる。制御回路８３４は、例えば、指示された調光度及び相関色温度に基づいて、それぞれの光源回路８３１ａ，８３１ｂに流すべき電流を算出する。例えば、制御回路８３４は、調光度及び相関色温度と、それぞれの光源回路８３１ａ，８３１ｂに流すべき電流との対応関係を表わすテーブルを、あらかじめ記憶しておく。制御回路８３４は、そのテーブルを参照することにより、それぞれの光源回路８３１ａ，８３１ｂに流すべき電流を算出する。制御回路８３４は、それぞれの光源回路８３１ａ，８３１ｂを実際に流れている電流を検出し、検出した電流が算出した電流と一致するよう、電源回路８３５を制御する。
【００２１】
図５は、この実施の形態における信号入力回路８３３の構成を示す回路図である。
【００２２】
信号入力回路８３３は、例えば、絶縁伝達回路８３７と、受信回路８３８とを有する。信号入力回路８３３は、例えば、制御電源回路８３６から供給される直流電力を電源として動作する。制御電源回路８３６は、例えば電源ＡＣなどから供給される電力を、所定の制御電源電圧を有する直流電力に変換する。
絶縁伝達回路８３７は、調光制御コントローラ８１０から入力した信号を電気的に絶縁しつつ、受信回路８３８に伝達する。絶縁伝達回路８３７は、例えば、絶縁伝達回路８２７と同様の構成である。
【００２３】
受信回路８３８は、絶縁伝達回路８３７が伝達した信号を解釈して記憶する。受信回路８３８は、例えば、集積回路（ＩＣ）やマイコンである。受信回路８３８は、制御回路８３４と一体のＩＣやマイコンであってもよい。例えば、受信回路８３８は、絶縁伝達回路８３７が出力した信号を入力する。受信回路８３８は、入力した信号を監視して、所定の開始パターンを見つけると、そこがフレームの開始であると判断して同期を取り、それ以降の信号を、オンオフ変調されたシリアル信号として解釈し、解釈した結果として得られたデータを記憶する。受信回路８３８は、１つのフレームが終了すると、再び、入力した信号を監視して所定の開始パターンを探す。受信回路８３８は、例えば、所定の終了パターンを見つけた場合にフレームの終了であると判断する構成であってもよいし、フレームの長さをあらかじめ定めておき、受信回路８３８は、定められた長さのデータをシリアルパラレル変換した場合に、フレームの終了であると判断する構成であってもよい。また、フレームの長さをあらかじめ定めておくのではなく、フレームの先頭付近にそのフレームのデータ長を表わすデータを入れておき、受信回路８３８は、そのデータに基づいて、フレームの終了を判断する構成であってもよい。
【００２４】
図６は、この実施の形態におけるデジタル信号のフレーム５１０の構造を示す図である。
【００２５】
フレーム５１０は、開始パターン５１１と、調光度データ５１３と、色温度データ５１４とを有する。開始パターン５１１は、フレーム５１０の開始を表わす。開始パターン５１１は、例えば８ビットであり、例えば「１０１００１０１」（２進数）など所定の値のデータである。調光度データ５１３は、照明器具８３０に対して指示される調光度を表わす。調光度データ５１３は、例えば８ビットであり、その場合、最大２５６段階の調光が可能となる。色温度データ５１４は、照明器具８３０に対して指示される相関色温度を表わす。色温度データ５１４は、例えば８ビットであり、その場合、最大２５６段階の色温度調整が可能となる。この例では、１つのフレームの長さは、２４ビットであり、ビットレートが毎秒１０メガビットの場合、１つのフレームの持続時間は、２．４マイクロ秒である。
【００２６】
図７は、この実施の形態における調光制御コントローラ８１０の構成を示すブロック図である。
【００２７】
調光制御コントローラ８１０は、例えば、指示入力部８１１と、指示記憶部８１２と、信号生成装置１００とを有する。
指示入力部８１１は、照明器具８２０，８３０に対する指示を入力する。指示入力部８１１は、例えばリモコン受信回路であり、利用者によるリモコン操作を入力する。指示入力部８１１が入力する指示は、例えば、照明器具８２０に対する点灯消灯や調光度の指示、照明器具８３０に対する点灯消灯や調光度や相関色温度の指示などである。なお、指示入力部８１１は、照明器具８２０に対する指示と照明器具８３０に対する指示とを区別せず、すべての照明器具８２０，８３０に対して共通の指示を入力する構成であってもよい。
指示記憶部８１２は、指示入力部８１１が入力した指示を記憶する。指示記憶部８１２は、例えば不揮発性メモリであり、指示入力部８１１が入力した指示を表わすデータを記憶する。
【００２８】
信号生成装置１００は、指示記憶部８１２が記憶した指示に基づいて、照明器具８２０，８３０に対する制御信号を生成し、出力する。信号生成装置１００は、例えば、パルス幅変調信号生成部１１０と、オンオフ変調信号生成部１２０と、信号出力部１３０とを有する。
パルス幅変調信号生成部１１０は、指示記憶部８１２が記憶した指示に基づいて、照明器具８２０に対するＰＷＭ信号を生成する。
オンオフ変調信号生成部１２０は、指示記憶部８１２が記憶した指示に基づいて、照明器具８３０に対するデジタル信号を生成する。オンオフ変調信号生成部１２０が生成するデジタル信号は、例えば、フレーム５１０の開始パターン５１１である開始パターン信号と、調光度データ５１３（データ）を表わす調光度信号（データ信号）と、色温度データ５１４（データ）を表わす色温度信号（データ信号）とを含む。オンオフ変調信号生成部１２０は、例えば、開始信号生成部１２１と、調光度信号生成部１２３と、色温度信号生成部１２４とを有する。
開始信号生成部１２１は、開始パターン信号を生成する。開始信号生成部１２１は、例えば、パルス幅変調信号生成部１１０がパルス幅変調信号を生成するタイミングに合わせて、ＰＷＭ信号の一周期のなかの所定のタイミングで、開始パターン信号を生成する。
調光度信号生成部１２３は、開始信号生成部１２１が生成した開始パターン信号に続けて、指示記憶部８１２が記憶した調光度の指示に基づいて、調光度信号を生成する。
色温度信号生成部１２４は、調光度信号生成部１２３が生成した調光度信号に続けて、指示記憶部８１２が記憶した相関色温度の指示に基づいて、色温度信号を生成する。
【００２９】
信号出力部１３０は、パルス幅変調信号生成部１１０が生成したパルス幅変調信号の一部に、オンオフ変調信号生成部１２０が生成したデジタル信号を組み込んだ信号を生成して、照明器具８２０，８３０に対する制御信号として外部に出力する。信号出力部１３０は、例えば、オンオフ変調信号生成部１２０がデジタル信号を生成しているタイミングでは、オンオフ変調信号生成部１２０が生成したデジタル信号を出力し、それ以外のタイミングでは、パルス幅変調信号生成部１１０が生成したＰＷＭ信号を出力する。
【００３０】
図８は、この実施の形態における信号出力部１３０が出力する制御信号の構造を示す図である。
周期５００は、パルス幅変調信号生成部１１０が生成するＰＷＭ信号の一周期である。例えば、ＰＷＭ信号の周波数が１００Ｈｚの場合、一つの周期５００の持続時間は、１０ミリ秒である。オン期間５２０は、パルス幅変調信号生成部１１０が生成するＰＷＭ信号がオンの期間である。オフ期間５３０は、パルス幅変調信号生成部１１０が生成するＰＷＭ信号がオフの期間である。オン期間５２０及びオフ期間５３０の持続時間は、指示記憶部８１２が記憶した調光度の指示によって変化する。
フレーム５１０は、オンオフ変調信号生成部１２０が生成するデジタル信号のフレームである。オンオフ変調信号生成部１２０は、例えば、オフ期間５３０の終わりに当たるタイミングで、一つのフレーム５１０を生成する。なお、オンオフ変調信号生成部１２０は、他のタイミングでデジタル信号を生成する構成であってもよい。また、オンオフ変調信号生成部１２０は、一つの周期５００に複数のフレーム５１０を生成する構成であってもよいし、複数の周期５００に一つのフレーム５１０を生成する構成であってもよい。
【００３１】
照明器具８２０の信号入力回路８２３は、調光制御コントローラ８１０が出力した制御信号をＰＷＭ信号として解釈する。オンオフ変調信号生成部１２０がデジタル信号を生成している期間において、調光制御コントローラ８１０が出力した制御信号の電圧は、オン期間５２０と同じ電圧になるときと、オフ期間５３０と同じ電圧になるときとがある。本来、オフ期間５３０であるべき期間に、オンオフ変調信号生成部１２０が生成したデジタル信号が組み込まれているので、調光制御コントローラ８１０が出力した制御信号のオンデューティは、パルス幅変調信号生成部１１０が生成したＰＷＭ信号のオンデューティよりもわずかに大きくなる。例えば、一つの周期５００の持続時間が１０ミリ秒、一つのフレーム５１０の持続時間が２．４マイクロ秒である場合、オンデューティは、最大で０．０２４％増加する。例えば、パルス幅変調信号生成部１１０が生成したＰＷＭ信号のオンデューティが５０％である場合、調光制御コントローラ８１０が出力した制御信号のオンデューティは、５０％〜５０．０２４％になる。したがって、照明器具８２０は、オンデューティが５０％〜５０．０２４％のＰＷＭ信号を入力したものとして動作する。
パルス幅変調信号生成部１１０が生成するＰＷＭ信号の一つの周期５００につきオンオフ変調信号生成部１２０が生成するデジタル信号の持続時間が、一つの周期５００の持続時間の１００分の１以下であれば、信号入力回路８２３が解釈するＰＷＭ信号のオンデューティの誤差が１％以内となるので、ほとんど無視できる。更に、デジタル信号の持続時間が一つの周期５００の持続時間の１０００分の１以下であれば、デジタル信号を組み込むことによる誤差は０．１％以内となり、ＰＷＭ信号におけるばらつき公差と同程度になる。
したがって、照明器具８２０は、通常のＰＷＭ信号を入力した場合と同様に動作する。
【００３２】
なお、オンオフ変調信号生成部１２０が生成するＰＷＭ信号のオフ期間５３０に、パルス幅変調信号生成部１１０がデジタル信号を生成するのではなく、ＰＷＭ信号のオン期間５２０に、パルス幅変調信号生成部１１０がデジタル信号を生成する構成としてもよい。
【００３３】
照明器具８３０の信号入力回路８３３は、調光制御コントローラ８１０が出力した制御信号をデジタル信号として解釈する。オンオフ変調信号生成部１２０が生成したデジタル信号以外の部分に、開始パターン５１１と同じパターンが出現しなければ、信号入力回路８３３は、オンオフ変調信号生成部１２０が生成したデジタル信号以外の部分を無視するので、オンオフ変調信号生成部１２０が生成したデジタル信号だけを解釈する。したがって、信号入力回路８３３は、一つの周期５００に一回ずつ、デジタル信号を解釈し、取得したデータを記憶しておく。照明器具８３０の制御回路８３４は、信号入力回路８３３が記憶しているデータに基づいて、信号入力回路８３３を制御する。
したがって、照明器具８３０は、通常のデジタル信号を入力した場合と同様に動作する。
【００３４】
なお、オンオフ変調信号生成部１２０が複数の周期５００に一つのフレーム５１０を生成する構成とすれば、信号入力回路８２３が解釈するＰＷＭ信号のオンデューティの誤差が更に小さくなるので、望ましい。
ただし、オンオフ変調信号生成部１２０がフレーム５１０を生成する周期を長くすると、指示入力部８１１が照明器具８３０に対する指示を入力してから、その指示が照明器具８３０に伝達されるまでの遅延時間が大きくなる。
このため、オンオフ変調信号生成部１２０は、指示記憶部８１２が記憶した照明器具８３０に対する指示が変更されたときは、すぐにフレーム５１０を生成し、照明器具８３０に対する指示に変更がないときは、比較的長い周期（例えば１秒）ごとに１つのフレーム５１０を生成する構成であってもよい。そうすれば、照明器具８３０に対する指示が変更されたときは、その指示をすぐに照明器具８３０に伝達できるとともに、照明器具８２０が解釈するＰＷＭ信号のオンデューティの誤差を小さくすることができる。
【００３５】
実施の形態２．
実施の形態２について、図９を用いて説明する。
なお、実施の形態１と共通する部分については、同一の符号を付し、説明を省略する。
【００３６】
この実施の形態における照明システム８００、調光制御コントローラ８１０、照明器具８２０，８３０の構成は、実施の形態１と同様である。
【００３７】
図９は、この実施の形態におけるデジタル信号のフレーム５１０の構造を示す図である。
【００３８】
フレーム５１０は、終了パターン５１５を有する。終了パターン５１５は、フレーム５１０の終了を表わす。終了パターン５１５は、例えば８ビットであり、例えば「１１１１１１１１」（２進数）など所定の値のデータである。照明器具８３０の信号入力回路８３３は、フレーム５１０の受信中に終了パターン５１５を見つけると、そこでフレーム５１０が終了したと判断する。
【００３９】
調光制御コントローラ８１０の信号出力部１３０が出力する制御信号の構造は、図８と同様なので、図８を参照して説明する。
【００４０】
オンオフ変調信号生成部１２０は、オフ期間５３０の終わりに当たるタイミングで、一つのフレーム５１０を生成する。ただし、オンオフ変調信号生成部１２０が生成するフレーム５１０には、終了パターン５１５が含まれていない。
信号出力部１３０が出力する制御信号において、オンオフ変調信号生成部１２０が生成したフレーム５１０の次に、オン期間５２０が存在する。照明器具８３０の信号入力回路８３３は、まだフレームが続いていると考えているので、オン期間５２０の始めの部分をデジタル信号のつもりで解釈する。信号入力回路８３３は、例えば、オン期間５２０の始めの部分を解釈して、データ「１１１１１１１１」（２進数）を得る。このデータが終了パターンと一致する場合、信号入力回路８３３は、そこでフレーム５１０が終了したと判断する。
【００４１】
このように、照明器具８３０が終了パターン５１５の出現をもってフレーム５１０の終了を判断する構成であり、パルス幅変調信号生成部１１０が生成するＰＷＭ信号のなかに、終了パターン５１５と一致するパターンが存在する場合、オンオフ変調信号生成部１２０は、そのパターンの直前のタイミングで、終了パターン５１５を含まないフレーム５１０を生成する。
これにより、照明器具８３０の信号入力回路８３３は、そこでフレーム５１０が終了したと判断し、次のフレーム５１０が開始するまでの間の信号を無視する。したがって、照明器具８３０は、通常のデジタル信号を入力した場合と同様に動作する。
また、オンオフ変調信号生成部１２０が生成するフレーム５１０の長さが終了パターン５１５を含まない分短くなるので、照明器具８２０が解釈するＰＷＭ信号のオンデューティの誤差を小さくすることができる。
【００４２】
実施の形態３．
実施の形態３について、説明する。
なお、実施の形態１または実施の形態２と共通する部分については、同一の符号を付し、説明を省略する。
【００４３】
この実施の形態における照明システム８００、調光制御コントローラ８１０、照明器具８２０，８３０の構成は、実施の形態１または実施の形態２と同様である。
【００４４】
信号生成装置１００のパルス幅変調信号生成部１１０は、信号出力部１３０が出力する制御信号に、オンオフ変調信号生成部１２０が生成したデジタル信号が組み込まれることを考慮して、ＰＷＭ信号のオン期間５２０及びオフ期間５３０の持続時間を決定し、決定した結果に基づいてＰＷＭ信号を生成する。
例えば、パルス幅変調信号生成部１１０が生成したＰＷＭ信号のオフ期間５３０に、オンオフ変調信号生成部１２０が生成したデジタル信号が組み込まれる場合、パルス幅変調信号生成部１１０は、一つ前の周期５００において、信号出力部１３０が出力した制御信号の電圧が、デジタル信号が組み込まれたことによりオン期間５２０と同じ電圧になった時間の合計を算出する。パルス幅変調信号生成部１１０は、オン期間５２０の持続時間を、指示記憶部８１２が記憶した調光度の指示から求められる本来の持続時間から、算出した合計時間を差し引いた時間にする。例えば、指示記憶部８１２が記憶した調光度の指示を表わすオンデューティが５０％であり、一つの周期５００の持続時間が１０ミリ秒である場合、オン期間５２０の持続時間は、本来５ミリ秒になる。一つ前の周期５００において、デジタル信号が組みこまれることにより、制御信号の電圧が、オン期間５２０と同じ電圧になった時間が１０マイクロ秒あったとすると、パルス幅変調信号生成部１１０は、オン期間５２０の持続時間を４．９９ミリ秒にする。
逆に、パルス幅変調信号生成部１１０が生成したＰＷＭ信号のオン期間５２０に、オンオフ変調信号生成部１２０が生成したデジタル信号が組み込まれる場合は、信号出力部１３０が出力した制御信号の電圧が、デジタル信号が組み込まれたことによりオフ期間５３０と同じ電圧になった合計時間を、オン期間５２０の本来の持続時間に加えて、オン期間５２０の持続時間を長くする。
【００４５】
これにより、照明器具８２０の信号入力回路８２３が解釈するＰＷＭ信号のオンデューティの誤差を、ほとんどなくすことができる。
なお、本来のオンデューティが０％である場合、オン期間５２０の持続時間をそれ以上短くすることができないので、信号入力回路８２３が解釈するＰＷＭ信号のオンデューティの誤差が発生する。同様に、本来のオンデューティが１００％である場合、オン期間５２０の持続時間をそれ以上長くすることができないので、信号入力回路８２３が解釈するＰＷＭ信号のオンデューティの誤差が発生する。
しかし、ＰＷＭ信号が、例えば、オンデューティが５％以下である場合には、最大光出力を意味し、オンデューティが９５％以上である場合には、消灯を意味するという構成であれば、オンデューティが０％や１００％のＰＷＭ信号を使う必要はないから、このときの誤差は無視できる。その場合、ＰＷＭ信号の一つの周期５００の持続時間に対するデジタル信号の持続時間の割合が、５％以内であれば、信号入力回路８２３が解釈するＰＷＭ信号のオンデューティの誤差をなくすことができる。
【００４６】
なお、信号出力部１３０が出力する制御信号に、オンオフ変調信号生成部１２０が生成したデジタル信号が組み込まれることを考慮して、パルス幅変調信号生成部１１０が、ＰＷＭ信号のオン期間５２０及びオフ期間５３０の持続時間を変えるのではなく、オンオフ変調信号生成部１２０がデジタル信号を生成するタイミングを変える構成であってもよい。
例えば、オンオフ変調信号生成部１２０がデジタル信号を生成するタイミングを、パルス幅変調信号生成部１１０が生成するＰＷＭ信号が、オン期間５２０からオフ期間５３０へ、あるいは、オフ期間５３０からオン期間５２０へ遷移するタイミングと重なるタイミングに設定しておく。オンオフ変調信号生成部１２０は、オンオフ変調信号生成部１２０が生成するデジタル信号の電圧が、オン期間５２０と同じ電圧になる期間と、オフ期間５３０と同じ電圧になる期間との比率を算出し、生成するデジタル信号が、算出した比率と同じ比率で、オン期間５２０及びオフ期間５３０に重なるタイミングで、デジタル信号を生成する。例えば、オンオフ変調信号生成部１２０が生成するデジタル信号の電圧が、オン期間５２０と同じ電圧になる期間が６０％、オフ期間５３０と同じ電圧になる期間が４０％ある場合、オンオフ変調信号生成部１２０は、生成するデジタル信号の持続時間のうち、６０％がオン期間５２０に重なり、４０％がオフ期間５３０に重なるタイミングで、デジタル信号を生成する。
なお、オンオフ変調信号生成部１２０がデジタル信号を生成するタイミングを変えるのではなく、信号出力部１３０が、デジタル信号を遅延させて、ＰＷＭ信号に組み込む構成であってもよい。
【００４７】
実施の形態４．
実施の形態４について、図１０〜図１１を用いて説明する。
なお、実施の形態１〜実施の形態３と共通する部分については、同一の符号を付し、説明を省略する。
【００４８】
この実施の形態における照明システム８００，照明器具８２０，８３０の構成は、実施の形態１〜実施の形態３と同様である。ただし、照明システム８００は、複数の照明器具８３０を有し、複数の照明器具８３０は、複数のグループに分けられている。照明システム８００は、グループごとに、照明器具８３０の点灯消灯、調光度、相関色温度などを制御することができる。
【００４９】
図１０は、この実施の形態におけるデジタル信号のフレーム５１０の構造を示す図である。
フレーム５１０は、アドレスデータ５１２を有する。アドレスデータ５１２は、そのフレーム５１０による指示の対象である照明器具８３０のグループを指定するグループ識別子を表わす。アドレスデータ５１２は、例えば８ビットであり、その場合、最大２５６個のグループに対して、１つの制御信号で指示をすることができる。なお、照明器具８２０に対しては、照明器具８３０とは異なる指示をすることができるから、照明器具８２０を１つのグループとみなせば、別々の指示をすることができるグループの数は、１つ増える。
【００５０】
照明器具８３０の受信回路８３８は、例えば、あらかじめ照明器具８３０が分類されたグループのグループ識別子を記憶している。例えば、受信回路８３８は、ディップスイッチを有し、その照明器具８３０が分類されたグループのグループ識別子にしたがって、利用者がディップスイッチをあらかじめ設定しておく。受信回路８３８は、ディップスイッチの状態を読み取ることにより、照明器具８３０が分類されたグループのグループ識別子を取得する。
受信回路８３８は、入力した信号を監視して、開始パターン５１１を見つけると、そこがフレームの開始であると判断して同期を取り、それ以降の信号を、オンオフ変調されたシリアル信号として解釈して、アドレスデータ５１２を取得する。受信回路８３８は、あらかじめ記憶しているグループ識別子と、取得したアドレスデータ５１２が表わすグループ識別子とを比較して、一致するか否かを判定する。
グループ識別子が一致した場合、受信回路８３８は、更にそれ以降の信号を、オンオフ変調されたシリアル信号として解釈して、調光度データ５１３や色温度データ５１４を取得して、記憶する。制御回路８３４は、受信回路８３８が記憶した調光度データ５１３が表わす調光度や色温度データ５１４が表わす相関色温度にしたがって、点灯装置８３２を制御する。
グループ識別子が一致しない場合、受信回路８３８は、そのフレームを無視し、そのフレームが終了して次のフレームが開始するのを待つ。受信回路８３８が記憶した調光度データ５１３や色温度データ５１４が変わらないので、制御回路８３４は、それまでと変わらない調光度や相関色温度にしたがって、点灯装置８３２を制御する。
【００５１】
このようにして、照明器具８３０は、自身が分類されたグループに対する指示を含むフレーム５１０だけを取得し、取得したフレーム５１０に含まれる指示にしたがって動作する。
【００５２】
図１１は、この実施の形態における調光制御コントローラ８１０の構成を示すブロック図である。
【００５３】
調光制御コントローラ８１０は、実施の形態１で説明した構成に加えて、更に、アドレス入力部８１３と、アドレス記憶部８１４とを有する。
アドレス入力部８１３は、照明システム８００に含まれる照明器具８３０が分類されるグループを指定するグループ識別子を入力する。
アドレス記憶部８１４は、アドレス入力部８１３が入力したグループ識別子を記憶する。アドレス記憶部８１４は、例えば不揮発性メモリなどである。
【００５４】
指示入力部８１１は、照明器具８２０，８３０に対する指示と、その指示の対象であるグループを指定するグループ識別子とを入力する。なお、照明器具８３０が分類されたグループに割り当てられたグループ識別子のいずれとも異なるグループ識別子を照明器具８２０に割り当てておき、照明器具８２０に対する指示も、グループ識別子によって識別する構成であってもよい。
指示記憶部８１２は、指示入力部８１１が入力した指示を、その指示の対象であるグループを表わすグループ識別子と対応づけて記憶する。
【００５５】
オンオフ変調信号生成部１２０が生成するデジタル信号は、例えば、フレーム５１０の開始パターン５１１である開始パターン信号と、アドレスデータ５１２を表わすアドレス信号と、調光度データ５１３（データ本体）を表わす調光度信号（データ本体信号）と、色温度データ５１４（データ本体）を表わす色温度信号（データ本体信号）とを含む。オンオフ変調信号生成部１２０は、実施の形態１で説明した構成に加えて、更に、アドレス信号生成部１２２を有する。
アドレス信号生成部１２２は、開始信号生成部１２１が生成した開始パターン信号に続けて、アドレス記憶部８１４が記憶したグループ識別子に基づいて、アドレス信号を生成する。
調光度信号生成部１２３は、アドレス信号生成部１２２が生成したアドレス信号に続けて、アドレス信号生成部１２２が生成したアドレス信号が表わすグループ識別子に対応づけて指示記憶部８１２が記憶した調光度の指示に基づいて、調光度信号を生成する。
色温度信号生成部１２４は、調光度信号生成部１２３が生成した調光度信号に続けて、アドレス信号生成部１２２が生成したアドレス信号が表わすグループ識別子に対応づけて指示記憶部８１２が記憶した相関色温度の指示に基づいて、色温度信号を生成する。
【００５６】
オンオフ変調信号生成部１２０は、例えば、パルス幅変調信号生成部１１０が生成するＰＷＭ信号の一つの周期５００につき、一つのフレーム５１０を生成する。一つのフレーム５１０は、一つのグループに対する指示を表わすから、すべてのグループに対して指示をするには、グループの数と同じ数の周期５００が必要である。例えば、１０個のグループに対して指示をするには、一つの周期５００の持続時間の１０倍の時間がかかる。例えば、一つの周期５００の持続時間が１０ミリ秒である場合、１０個のグループに対して指示するには０．１秒かかる。
そこで、オンオフ変調信号生成部１２０は、それぞれのグループに対する指示を表わすフレーム５１０を順番に生成するのではなく、指示に変更があったグループに対する指示を表わすフレーム５１０を優先的させて先に生成する構成であってもよい。また、オンオフ変調信号生成部１２０は、指示に変更がないグループに対する指示を表わすフレーム５１０を、比較的長い周期（例えば１秒）ごとに１つ生成する構成であってもよい。
【００５７】
このように、フレーム５１０がアドレスデータ５１２を有することにより、照明器具８２０と照明器具８３０とに対して異なる指示をするだけでなく、複数の照明器具８３０を複数のグループに分けて、グループごとに異なる指示をすることができる。
【００５８】
実施の形態５．
実施の形態５について、図１２を用いて説明する。
なお、実施の形態１〜実施の形態４と共通する部分については、同一の符号を付し、説明を省略する。
【００５９】
この実施の形態における照明システム８００、調光制御コントローラ８１０、照明器具８２０，８３０の構成は、実施の形態４で説明したものと同様である。
【００６０】
また、この実施の形態におけるデジタル信号のフレーム５１０の構成は、実施の形態４で説明したものと同様である。
【００６１】
照明器具８３０の受信回路８３８は、フレーム５１０の受信中に次のフレーム５１０の開始パターン５１１を見つけると、その前で、前のフレーム５１０が終了したと判断する。すなわち、あるフレーム５１０の開始パターン５１１は、その前のフレーム５１０の終了パターン５１５としての役割を兼ねている。
【００６２】
調光制御コントローラ８１０の開始信号生成部１２１は、色温度信号生成部１２４が生成した色温度信号に続けて、第二の開始パターンである第二の開始パターン信号を生成する。
アドレス信号生成部１２２は、開始信号生成部１２１が生成した第二の開始パターン信号に続けて、アドレス記憶部８１４が記憶したグループ識別子に基づいて、グループが割り当てられているグループ識別子のいずれとも異なるグループ識別子（すなわち、グループが割り当てられていないグループ識別子）を表わす第二のアドレス信号を生成する。
【００６３】
図１２は、この実施の形態における信号出力部１３０が出力する制御信号の構造を示す図である。
デジタル信号５４０は、オンオフ変調信号生成部１２０が生成したものである。デジタル信号５４０は、開始パターン信号と、アドレス信号と、調光度信号と、色温度信号と、第二の開始パターン信号と、第二のアドレス信号とからなる。
照明器具８３０は、このうち、開始パターン信号から、第二の開始パターン信号の前の色温度信号までを、一つのフレーム５１０として認識する。アドレス信号が表わすグループ識別子が、照明器具８３０自身が属するグループのグループ識別子と一致した場合、照明器具８３０は、そのフレーム５１０が照明器具８３０自身に対する指示を表わすと理解して、調光度信号が表わす調光度や色温度信号が表わす相関色温度にしたがって、動作する。
また、照明器具８３０は、第二の開始パターン信号から、次のフレーム５１０の最初の開始パターン信号までを、一つのフレーム５５０として認識する。しかし、第二のアドレス信号と、次のフレーム５１０の最初の開始パターン信号との間の部分は、オンオフ変調信号生成部１２０が生成したデジタル信号５４０ではないから、フレーム５５０は、本物のフレームではなく、擬似フレームである。また、第二のアドレス信号が表わすグループ識別子は、いずれのグループのグループ識別子とも一致しないので、すべての照明器具８３０が、フレーム５５０が照明器具８３０自身に対する指示を表わすものではないと理解する。
【００６４】
以上、各実施の形態で説明した構成は、一例であり、他の構成であってもよい。例えば、異なる実施の形態で説明した構成を組み合わせた構成であってもよいし、本質的でない部分の構成を、異なる構成で置き換えた構成であってもよい。
【符号の説明】
【００６５】
１００  信号生成装置、１１０  パルス幅変調信号生成部、１２０  オンオフ変調信号生成部、１２１  開始信号生成部、１２２  アドレス信号生成部、１２３  調光度信号生成部、１２４  色温度信号生成部、１３０  信号出力部、５００  周期、５１０，５５０  フレーム、５１１  開始パターン、５１２  アドレスデータ、５１３  調光度データ、５１４  色温度データ、５１５  終了パターン、５２０  オン期間、５３０  オフ期間、５４０  デジタル信号、８００  照明システム、８１０  調光制御コントローラ、８１１  指示入力部、８１２  指示記憶部、８１３  アドレス入力部、８１４  アドレス記憶部、８２０，８３０  照明器具、８２１，８３１  光源回路、８２２，８３２  点灯装置、８２３，８３３  信号入力回路、８２４，８３４  制御回路、８２５，８３５  電源回路、８２６，８３６  制御電源回路、８２７，８３７  絶縁伝達回路、８２８  オンデューティ測定回路、８３８  受信回路、ＡＣ  電源、Ｃ８６  コンデンサ、Ｐ７２  フォトカプラ、Ｑ７４，Ｑ８１，Ｑ８２  スイッチング素子、Ｒ７１，Ｒ７３，Ｒ７５，Ｒ８３，Ｒ８４，Ｒ８５  抵抗。
【図１】
0005804770.tif 000002
【図２】
0005804770.tif 000003
【図３】
0005804770.tif 000004
【図４】
0005804770.tif 000005
【図５】
0005804770.tif 000006
【図６】
0005804770.tif 000007
【図７】
0005804770.tif 000008
【図８】
0005804770.tif 000009
【図９】
0005804770.tif 000010
【図１０】
0005804770.tif 000011
【図１１】
0005804770.tif 000012
【図１２】
0005804770.tif 000013